(57)【特許請求の範囲】
【請求項１】
少なくとも３個の光源群と、
交流電圧を全波整流する全波整流回路と、
少なくとも３個の定電流回路と、を備え、
前記少なくとも３個の光源群の各々は、直列接続された複数個の固体発光素子を備え、
前記各固体発光素子には、第１コンデンサが並列に接続され、
前記少なくとも３個の定電流回路の各々は、前記全波整流回路により全波整流された脈流電圧が、対応する前記少なくとも３個の光源群に印加されたときに、対応する前記少なくとも３個の光源群に流れる電流を定電流化するように構成され、
前記全波整流回路の一対の出力端間には、前記少なくとも３個の光源群のうちの１個の光源群である第１光源群と、前記少なくとも３個の定電流回路のうちの１個の定電流回路である第１定電流回路との直列回路が電気的に接続され、
前記第１定電流回路には、前記少なくとも３個の光源群のうちの前記第１光源群とは異なる１個の光源群である第２光源群と、前記少なくとも３個の定電流回路のうちの前記第１定電流回路とは異なる１個の定電流回路である第２定電流回路との直列回路が電気的に接続され、
前記第２定電流回路には、前記少なくとも３個の光源群のうちの前記第１光源群と前記第２光源群とは異なる１個の光源群である第３光源群と、前記少なくとも３個の定電流回路のうちの前記第１定電流回路と前記第２定電流回路とは異なる１個の定電流回路である第３定電流回路との直列回路が電気的に接続され、
前記第１定電流回路と前記第２定電流回路と前記第３定電流回路との少なくとも１個には、第２コンデンサが並列に接続されている
ことを特徴とする光源ユニット。
【請求項２】
前記第１定電流回路には、前記第２コンデンサが並列に接続されている
ことを特徴とする請求項１記載の光源ユニット。
【請求項３】
前記第２コンデンサのキャパシタンスは、前記全波整流回路の一対の出力端間に前記全波整流回路の定格電圧よりも大きな電圧が印加されないように、設定されている
ことを特徴とする請求項１または請求項２記載の光源ユニット。
【請求項４】
請求項１ないし請求項３のいずれか１項に記載の光源ユニットと、
前記光源ユニットが取り付けられる取付部材と、を備えている
ことを特徴とする照明器具。
【発明の詳細な説明】
【技術分野】
【０００１】
本発明は、一般に、光源ユニットおよびそれを用いた照明器具に関し、より詳細には、固体発光素子を有する光源ユニットおよびそれを用いた照明器具に関する。
【背景技術】
【０００２】
近年、商用電源を整流して得られる脈流電圧によりＬＥＤ素子を直接駆動するＬＥＤ照明装置が提案されている（特許文献１）。
【０００３】
特許文献１に記載されたＬＥＤ照明装置は、整流回路と、制御回路と、複数個の電流制御回路と、複数個のＬＥＤストリングスとを備えている。
【０００４】
複数個のＬＥＤストリングスの各々は、複数個のＬＥＤ素子が直列接続されたＬＥＤアレイである。複数個のＬＥＤストリングスの各々には、コンデンサが並列に接続されている。なお、特許文献１には、コンデンサがＬＥＤ素子への高圧ストレスを緩和する旨が記載されている。
【０００５】
整流回路は、ダイオードブリッジである。整流回路の一対の入力端間には、商用電源が接続される。整流回路の一対の出力端間には、複数個のＬＥＤストリングスと、複数個の電流制御回路のうちの１個の電流制御回路におけるＦＥＴと、電流電圧変換抵抗との直列回路が接続されている。
【先行技術文献】
【特許文献】
【０００６】
【特許文献１】特開２０１３−３７８３７号公報
【発明の概要】
【発明が解決しようとする課題】
【０００７】
特許文献１に記載されたＬＥＤ照明装置では、例えば、整流回路の一対の入力端間にサージ電圧が印加されたとき、上記ＦＥＴに過電流が流れる可能性があり、上記ＦＥＴが絶縁破壊（サージ破壊）する虞がある。すなわち、このＬＥＤ照明装置では、サージ電圧により故障する可能性がある。
【０００８】
本発明の目的は、サージ電圧による故障を抑制することが可能な光源ユニットおよびそれを用いた照明器具を提供することにある。
【課題を解決するための手段】
【０００９】
本発明の光源ユニットは、少なくとも３個の光源群と、交流電圧を全波整流する全波整流回路と、少なくとも３個の定電流回路とを備えている。前記少なくとも３個の光源群の各々は、直列接続された複数個の固体発光素子を備えている。前記各固体発光素子には、第１コンデンサが並列に接続されている。前記少なくとも３個の定電流回路の各々は、前記全波整流回路により全波整流された脈流電圧が、対応する前記少なくとも３個の光源群に印加されたときに、対応する前記少なくとも３個の光源群に流れる電流を定電流化するように構成されている。前記全波整流回路の一対の出力端間には、前記少なくとも３個の光源群のうちの１個の光源群である第１光源群と、前記少なくとも３個の定電流回路のうちの１個の定電流回路である第１定電流回路との直列回路が電気的に接続されている。前記第１定電流回路には、前記少なくとも３個の光源群のうちの前記第１光源群とは異なる１個の光源群である第２光源群と、前記少なくとも３個の定電流回路のうちの前記第１定電流回路とは異なる１個の定電流回路である第２定電流回路との直列回路が電気的に接続されている。前記第２定電流回路には、前記少なくとも３個の光源群のうちの前記第１光源群と前記第２光源群とは異なる１個の光源群である第３光源群と、前記少なくとも３個の定電流回路のうちの前記第１定電流回路と前記第２定電流回路とは異なる１個の定電流回路である第３定電流回路との直列回路が電気的に接続されている。前記第１定電流回路と前記第２定電流回路と前記第３定電流回路との少なくとも１個には、第２コンデンサが並列に接続されている。
【００１０】
本発明の照明器具は、前記光源ユニットと、前記光源ユニットが取り付けられる取付部材とを備えている。
【発明の効果】
【００１１】
本発明の光源ユニットにおいては、サージ電圧による故障を抑制することが可能となる。
【００１２】
本発明の照明器具においては、サージ電圧による故障を抑制可能な光源ユニットを備えた照明器具を提供することができる。
【図面の簡単な説明】
【００１３】
【図１】実施形態１の光源ユニットの回路図である。
【図２】実施形態１の光源ユニットが取付部材に取り付けられた状態を示す概略斜視図である。
【図３】図２のＡ−Ａ断面において、基板の浮遊容量を説明する説明図である。
【図４】実施形態１の光源ユニットが取付部材に取り付けられた状態に関し、サージ電流が流れる経路を説明する説明図である。
【図５】実施形態１の光源ユニットを備えた照明器具の施工状態を示す斜視図である。
【図６】実施形態２の光源ユニットの回路図である。
【図７】実施形態２の光源ユニットが取付部材に取り付けられた状態を示す概略斜視図である。
【図８】実施形態２の光源ユニットが取付部材に取り付けられた状態に関し、サージ電流が流れる経路を説明する説明図である。
【発明を実施するための形態】
【００１４】
（実施形態１）
以下では、実施形態１の光源ユニット１００について、図１〜図４を参照しながら説明する。なお、以下では、説明の便宜上、光源ユニット１００を備えた照明器具２００について、図５を参照しながら説明した後に、光源ユニット１００について詳細に説明する。
【００１５】
照明器具２００は、例えば、街路灯である。照明器具２００は、例えば、地面等に設置された支柱３００に取り付けられるように構成されている。支柱３００としては、例えば、電柱、鋼管ポール等が挙げられる。
【００１６】
照明器具２００は、光源ユニット１００と、取付部材１０１と、ケース１０２とを備えている。なお、図５では、光源ユニット１００がケース１０２に覆われているため、光源ユニット１００が見えていない。
【００１７】
取付部材１０１は、光源ユニット１００が取り付けられるように構成されている。また、取付部材１０１は、固定具４００により支柱３００に取り付けられるように構成されている。取付部材１０１は、例えば、鋼板等の金属板により形成されている。
【００１８】
取付部材１０１は、固定具４００により支柱３００に取り付けられたとき、光源ユニット１００が上記地面に対して所定の角度（例えば、６０度）だけ傾くように構成されている。
【００１９】
ケース１０２は、光源ユニット１００を覆うように構成されている。ケース１０２は、ボディ１０３と、カバー１０４とを備えている。
【００２０】
ボディ１０３は、取付部材１０１が取り付けられるように構成されている。ボディ１０３は、一面が開口した箱状（例えば、矩形箱状）に構成されている。ボディ１０３は、例えば、合成樹脂により形成されている。
【００２１】
ボディ１０３には、一対の電源線２５Ａ，２５Ｂを通す孔（第１孔）が形成されている。一対の電源線２５Ａ，２５Ｂは、光源ユニット１００と電気的に接続されている。また、一対の電源線２５Ａ，２５Ｂは、外部電源４０（図１参照）と電気的に接続される。外部電源４０は、例えば、正弦波状の交流電圧を出力する交流電源（例えば、商用電源）である。外部電源４０の周波数は、例えば、５０Ｈｚである。
【００２２】
ボディ１０３には、取付部材１０１の一部を通す孔（第２孔）が形成されている。
【００２３】
カバー１０４は、ボディ１０３に取り付けられるように構成されている。また、カバー１０４は、光源ユニット１００を覆うように構成されている。カバー１０４は、透光性を有する材料により形成されている。
【００２４】
光源ユニット１００は、図１に示すように、３個の光源群１１〜１３と、全波整流回路２と、３個の定電流回路２１〜２３とを備えている。また、光源ユニット１００は、コネクタ４と、ヒューズ５と、バリスタ６とを備えている。さらに、光源ユニット１００は、３個の光源群１１〜１３、全波整流回路２、３個の定電流回路２１〜２３、コネクタ４、ヒューズ５およびバリスタ６が電気的に接続される基板７（図２参照）を備えている。コネクタ４は、一対の電源線２５Ａ，２５Ｂを電気的に接続するように構成されている。コネクタ４は、一対の端子４Ａ，４Ｂを備えている。
【００２５】
光源群１１は、直列接続された複数個（図１では、９個）の固体発光素子Ａ１〜Ａ９を備えている。９個の固体発光素子Ａ１〜Ａ９の各々は、例えば、ＬＥＤである。ＬＥＤは、例えば、ＳＭＤ（Surface Mount Device）型のＬＥＤである。ＬＥＤは、例えば、シングルチップ型のＬＥＤであってもよいし、マルチチップ型のＬＥＤであってもよい。また、ＬＥＤは、ＳＭＤ型のＬＥＤに限らず、ＣＯＢ（Chip On Board）型のＬＥＤであってもよい。９個の固体発光素子Ａ１〜Ａ９それぞれの順電圧（順方向電圧）は、例えば、６．６Ｖである。なお、９個の固体発光素子Ａ１〜Ａ９の各々は、ＬＥＤに限らず、例えば、有機エレクトロルミネッセンス素子、半導体レーザ素子等であってもよい。また、光源群１１は、９個の固体発光素子Ａ１〜Ａ９を備えているが、この個数を特に限定しない。
【００２６】
固体発光素子Ａ１には、コンデンサＣ１が並列に接続されている。残り８個の固体発光素子Ａ２〜Ａ９は、固体発光素子Ａ１と符号が異なる点を除いて、固体発光素子Ａ１と同じ構成である。すなわち、８個の固定発光素子Ａ２〜Ａ９の各々には、図１に示すように、対応するコンデンサＣ２〜Ｃ９が並列に接続されている。
【００２７】
９個のコンデンサＣ１〜Ｃ９の各々は、光源ユニット１００に流れるサージ電流をバイパスするように構成されている。言い換えれば、９個のコンデンサＣ１〜Ｃ９の各々は、対応する９個の固体発光素子Ａ１〜Ａ９にサージ電流が流れるのを抑制するように構成されている。９個のコンデンサＣ１〜Ｃ９の各々は、例えば、セラミックコンデンサである。なお、９個のコンデンサＣ１〜Ｃ９の各々は、セラミックコンデンサに限らない。
【００２８】
光源群１２は、直列接続された複数個（図１では、４個）の固体発光素子Ａ１０〜Ａ１３を備えている。４個の固体発光素子Ａ１０〜Ａ１３の各々は、例えば、ＬＥＤである。なお、４個の固体発光素子Ａ１０〜Ａ１３の各々は、固体発光素子Ａ１と符号が異なる点を除いて、固体発光素子Ａ１と同じ構成である。また、光源群１２は、４個の固体発光素子Ａ１０〜Ａ１３を備えているが、この個数を特に限定しない。
【００２９】
固体発光素子Ａ１０には、コンデンサＣ１０が並列に接続されている。残り３個の固体発光素子Ａ１１〜Ａ１３は、固体発光素子Ａ１と符号が異なる点を除いて、固体発光素子Ａ１０と同じ構成である。すなわち、３個の固定発光素子Ａ１１〜Ａ１３の各々には、図１に示すように、対応するコンデンサＣ１１〜Ｃ１３が並列に接続されている。
【００３０】
４個のコンデンサＣ１０〜Ｃ１３の各々は、光源ユニット１００に流れるサージ電流をバイパスするように構成されている。言い換えれば、４個のコンデンサＣ１０〜Ｃ１３の各々は、対応する４個の固体発光素子Ａ１０〜Ａ１３にサージ電流が流れるのを抑制するように構成されている。４個のコンデンサＣ１０〜Ｃ１３の各々は、例えば、セラミックコンデンサである。なお、４個のコンデンサＣ１０〜Ｃ１３の各々は、セラミックコンデンサに限らない。
【００３１】
光源群１３は、直列接続された複数個（図１では、２個）の固体発光素子Ａ１４，Ａ１５を備えている。２個の固体発光素子Ａ１４，Ａ１５の各々は、例えば、ＬＥＤである。なお、２個の固体発光素子Ａ１４，Ａ１５の各々は、固体発光素子Ａ１と符号が異なる点を除いて、固体発光素子Ａ１と同じ構成である。また、光源群１３は、２個の固体発光素子Ａ１４，Ａ１５を備えているが、この個数を特に限定しない。
【００３２】
固体発光素子Ａ１４には、コンデンサＣ１４が並列に接続されている。固体発光素子Ａ１５には、コンデンサＣ１５が並列に接続されている。
【００３３】
２個のコンデンサＣ１４，Ｃ１５の各々は、光源ユニット１００に流れるサージ電流をバイパスするように構成されている。言い換えれば、２個のコンデンサＣ１４，Ｃ１５の各々は、対応する２個の固体発光素子Ａ１４，Ａ１５にサージ電流が流れるのを抑制するように構成されている。２個のコンデンサＣ１４，Ｃ１５の各々は、例えば、セラミックコンデンサである。なお、２個のコンデンサＣ１４，Ｃ１５の各々は、セラミックコンデンサに限らない。
【００３４】
全波整流回路２は、交流電圧を全波整流するように構成されている。全波整流回路２は、例えば、４個のダイオードＤ１〜Ｄ４を有するダイオードブリッジである。
【００３５】
ダイオードＤ１とダイオードＤ３とは、直列に接続されている。ダイオードＤ２とダイオードＤ４とは、直列に接続されている。ダイオードＤ１のカソードは、ダイオードＤ２のカソードと電気的に接続されている。ダイオードＤ３のアノードは、ダイオードＤ４のアノードと電気的に接続されている。
【００３６】
ダイオードＤ１のアノードは、ヒューズ５を介して、コネクタ４の端子４Ａと電気的に接続されている。また、ダイオードＤ１のアノードは、バリスタ６を介して、ダイオードＤ４のカソードと電気的に接続されている。
【００３７】
全波整流回路２の一対の出力端間には、光源群１１と定電流回路２１との直列回路が電気的に接続されている。具体的に説明すると、ダイオードＤ１およびダイオードＤ２それぞれのカソードと、ダイオードＤ３およびダイオードＤ４それぞれのアノードとの間には、光源群１１と定電流回路２１との直列回路が電気的に接続されている。
【００３８】
直列接続された９個の固体発光素子Ａ１〜Ａ９のうち直列接続された４個の固体発光素子Ａ１〜Ａ４には、コンデンサＣ１６が並列に接続されている。また、直列接続された９個の固体発光素子Ａ１〜Ａ９のうち直列接続された５個の固体発光素子Ａ５〜Ａ９には、コンデンサＣ１７が並列に接続されている。
【００３９】
コンデンサＣ１６は、直列接続された４個の固体発光素子Ａ１〜Ａ４に流れる電流を平滑するように構成されている。コンデンサＣ１６は、例えば、電解コンデンサである。コンデンサＣ１６の高電位側の端子は、固体発光素子Ａ１のアノードと電気的に接続されている。コンデンサＣ１６の低電位側の端子は、固体発光素子Ａ４のカソードと電気的に接続されている。これにより、光源ユニット１００では、直列接続された４個の固体発光素子Ａ１〜Ａ４に流れる電流が変動するのを低減することが可能となる。よって、光源ユニット１００では、光源群１１に流れる電流が変動するのを低減することが可能となり、光源群１１から放射される光のちらつきを抑制することが可能となる。なお、コンデンサＣ１６は、電解コンデンサに限らず、セラミックコンデンサであってもよい。
【００４０】
コンデンサＣ１６の耐圧は、４個の固体発光素子Ａ１〜Ａ４における合計の順電圧（順方向電圧）以上に設定されている。具体的に説明すると、コンデンサＣ１６の耐圧は、例えば、３５Ｖに設定されている。
【００４１】
コンデンサＣ１６には、抵抗Ｒ１が並列に接続されている。抵抗Ｒ１は、光源ユニット１００に電力が供給されなくなったとき、コンデンサＣ１６に蓄積された電荷を放電するように構成されている。これにより、光源ユニット１００では、光源ユニット１００に電力が供給されなくなったときに、直列接続された４個の固体発光素子Ａ１〜Ａ４に電流が流れるのを抑制することが可能となる。よって、光源ユニット１００では、光源ユニット１００に電力が供給されなくなったときに、光源群１１に電流が流れるのを抑制することが可能となり、光源群１１が点灯し続けるのを抑制することが可能となる。
【００４２】
コンデンサＣ１７は、５個の固体発光素子Ａ５〜Ａ９に流れる電流を平滑するように構成されている。コンデンサＣ１７は、例えば、電解コンデンサである。コンデンサＣ１７の高電位側の端子は、固体発光素子Ａ５のアノードと電気的に接続されている。コンデンサＣ１７の低電位側の端子は、固体発光素子Ａ９のカソードと電気的に接続されている。これにより、光源ユニット１００では、直列接続された５個の固体発光素子Ａ５〜Ａ９に流れる電流が変動するのを低減することが可能となる。よって、光源ユニット１００では、光源群１１に流れる電流が変動するのを低減することが可能となり、光源群１１から放射される光のちらつきを抑制することが可能となる。なお、コンデンサＣ１７は、電解コンデンサに限らず、セラミックコンデンサであってもよい。
【００４３】
コンデンサＣ１７の耐圧は、５個の固体発光素子Ａ５〜Ａ９における合計の順電圧以上に設定されている。具体的に説明すると、コンデンサＣ１７の耐圧は、例えば、５０Ｖに設定されている。
【００４４】
コンデンサＣ１７には、抵抗Ｒ２が並列に接続されている。抵抗Ｒ２は、光源ユニット１００に電力が供給されなくなったとき、コンデンサＣ１７に蓄積された電荷を放電するように構成されている。これにより、光源ユニット１００では、光源ユニット１００に電力が供給されなくなったときに、直列接続された５個の固体発光素子Ａ５〜Ａ９に電流が流れるのを抑制することが可能となる。よって、光源ユニット１００では、光源ユニット１００に電力が供給されなくなったときに、光源群１１に電流が流れるのを抑制することが可能となり、光源群１１が点灯し続けるのを抑制することが可能となる。
【００４５】
定電流回路２１は、光源群１１に流れる電流を定電流化するように構成されている。定電流回路２１は、例えば、スイッチング素子Ｑ１と、５個の抵抗Ｒ３〜Ｒ７と、コンデンサＣ１８と、シャントレギュレータＵ１とを備えている。２個の抵抗Ｒ４，Ｒ５とコンデンサＣ１８とは、シャントレギュレータＵ１の動作を補償する補償回路を構成している。
【００４６】
抵抗Ｒ３の第１端は、ダイオードＤ１およびダイオードＤ２それぞれのカソードと電気的に接続されている。抵抗Ｒ３の第２端は、抵抗Ｒ４の第１端と電気的に接続されている。抵抗Ｒ４の第２端は、シャントレギュレータＵ１のカソード端子と電気的に接続されている。また、抵抗Ｒ４の第２端は、コンデンサＣ１８を介して、シャントレギュレータＵ１のリファレンス端子と電気的に接続されている。シャントレギュレータＵ１のアノード端子は、ダイオードＤ３およびダイオードＤ４それぞれのアノードと電気的に接続されている。
【００４７】
シャントレギュレータＵ１のリファレンス端子は、抵抗Ｒ５の第１端と電気的に接続されている。抵抗Ｒ５の第２端は、抵抗Ｒ６の第１端と電気的に接続されている。抵抗Ｒ６の第２端は、抵抗Ｒ７の第１端と電気的に接続されている。抵抗Ｒ７の第２端は、シャントレギュレータＵ１のアノード端子と電気的に接続されている。
【００４８】
スイッチング素子Ｑ１は、例えば、エンハンスメント型のｎチャネルＭＯＳＦＥＴである。なお、図１中のスイッチング素子Ｑ１の図記号のダイオードは、内蔵ダイオードを表している。
【００４９】
スイッチング素子Ｑ１の第１端子（ドレイン端子）は、固体発光素子Ａ９のカソードと電気的に接続されている。スイッチング素子Ｑ１の第２端子（ソース端子）は、抵抗Ｒ６の第１端と電気的に接続されている。スイッチング素子Ｑ１の制御端子（ゲート端子）は、抵抗Ｒ４の第１端と電気的に接続されている。
【００５０】
シャントレギュレータＵ１は、予め設定された基準電圧と抵抗Ｒ７の両端電圧とを一致させるように出力電流（カソード電流）を増減して、スイッチング素子Ｑ１に流れる電流を定電流化する。これにより、定電流回路２１では、光源群１１に流れる電流を定電流化することが可能となる。なお、スイッチング素子Ｑ１は、エンハンスメント型のｎチャネルＭＯＳＦＥＴに限らず、例えば、ｎｐｎ型のバイポーラトランジスタ等であってもよい。
【００５１】
定電流回路２１には、光源群１２と定電流回路２２との直列回路が電気的に接続されている。
【００５２】
定電流回路２２は、光源群１２に流れる電流を定電流化するように構成されている。定電流回路２２は、例えば、スイッチング素子Ｑ２と、５個の抵抗Ｒ８〜Ｒ１２と、コンデンサＣ１９と、シャントレギュレータＵ２とを備えている。２個の抵抗Ｒ９，Ｒ１０とコンデンサＣ１９とは、シャントレギュレータＵ２の動作を補償する補償回路を構成している。
【００５３】
抵抗Ｒ８の第１端は、固体発光素子Ａ１３のカソードと電気的に接続されている。抵抗Ｒ８の第２端は、抵抗Ｒ９の第１端と電気的に接続されている。抵抗Ｒ９の第２端は、シャントレギュレータＵ２のカソード端子と電気的に接続されている。また、抵抗Ｒ９の第２端は、コンデンサＣ１９を介して、シャントレギュレータＵ２のリファレンス端子と電気的に接続されている。シャントレギュレータＵ２のアノード端子は、抵抗Ｒ６の第２端と電気的に接続されている。
【００５４】
シャントレギュレータＵ２のリファレンス端子は、抵抗Ｒ１０の第１端と電気的に接続されている。抵抗Ｒ１０の第２端は、抵抗Ｒ１１の第１端と電気的に接続されている。抵抗Ｒ１１の第２端は、抵抗Ｒ１２の第１端と電気的に接続されている。抵抗Ｒ１２の第２端は、シャントレギュレータＵ２のアノード端子と電気的に接続されている。
【００５５】
スイッチング素子Ｑ２は、例えば、エンハンスメント型のｎチャネルＭＯＳＦＥＴである。なお、図１中のスイッチング素子Ｑ２の図記号のダイオードは、内蔵ダイオードを表している。
【００５６】
スイッチング素子Ｑ２の第１端子（ドレイン端子）は、固体発光素子Ａ１３のカソードと電気的に接続されている。スイッチング素子Ｑ２の第２端子（ソース端子）は、抵抗Ｒ１１の第１端と電気的に接続されている。スイッチング素子Ｑ２の制御端子（ゲート端子）は、抵抗Ｒ９の第１端と電気的に接続されている。
【００５７】
シャントレギュレータＵ２は、予め設定された基準電圧と抵抗Ｒ１２の両端電圧とを一致させるように出力電流（カソード電流）を増減して、スイッチング素子Ｑ２に流れる電流を定電流化する。これにより、定電流回路２２では、光源群１２に流れる電流を定電流化することが可能となる。なお、スイッチング素子Ｑ２は、エンハンスメント型のｎチャネルＭＯＳＦＥＴに限らず、例えば、ｎｐｎ型のバイポーラトランジスタ等であってもよい。
【００５８】
定電流回路２２には、光源群１３と定電流回路２３との直列回路が電気的に接続されている。
【００５９】
定電流回路２３は、光源群１３に流れる電流を定電流化するように構成されている。定電流回路２３は、例えば、スイッチング素子Ｑ３と、４個の抵抗Ｒ１３〜Ｒ１６と、コンデンサＣ２０と、シャントレギュレータＵ３とを備えている。２個の抵抗Ｒ１４，Ｒ１５とコンデンサＣ２０とは、シャントレギュレータＵ３の動作を補償する補償回路を構成している。
【００６０】
抵抗Ｒ１３の第１端は、固体発光素子Ａ１５のカソードと電気的に接続されている。抵抗Ｒ１３の第２端は、抵抗Ｒ１４の第１端と電気的に接続されている。抵抗Ｒ１４の第２端は、シャントレギュレータＵ３のカソード端子と電気的に接続されている。また、抵抗Ｒ１４の第２端は、コンデンサＣ２０を介して、シャントレギュレータＵ３のリファレンス端子と電気的に接続されている。シャントレギュレータＵ３のアノード端子は、抵抗Ｒ１１の第２端と電気的に接続されている。
【００６１】
シャントレギュレータＵ３のリファレンス端子は、抵抗Ｒ１５の第１端と電気的に接続されている。抵抗Ｒ１５の第２端は、抵抗Ｒ１６の第１端と電気的に接続されている。抵抗Ｒ１６の第２端は、シャントレギュレータＵ３のアノード端子と電気的に接続されている。
【００６２】
スイッチング素子Ｑ３は、例えば、エンハンスメント型のｎチャネルＭＯＳＦＥＴである。なお、図１中のスイッチング素子Ｑ３の図記号のダイオードは、内蔵ダイオードを表している。
【００６３】
スイッチング素子Ｑ３の第１端子（ドレイン端子）は、固体発光素子Ａ１５のカソードと電気的に接続されている。スイッチング素子Ｑ３の第２端子（ソース端子）は、抵抗Ｒ１６の第１端と電気的に接続されている。スイッチング素子Ｑ３の制御端子（ゲート端子）は、抵抗Ｒ１４の第１端と電気的に接続されている。
【００６４】
シャントレギュレータＵ３は、予め設定された基準電圧と抵抗Ｒ１６の両端電圧とを一致させるように出力電流（カソード電流）を増減して、スイッチング素子Ｑ３に流れる電流を定電流化する。これにより、定電流回路２３では、光源源１３に流れる電流を定電流化することが可能となる。なお、スイッチング素子Ｑ３は、エンハンスメント型のｎチャネルＭＯＳＦＥＴに限らず、例えば、ｎｐｎ型のバイポーラトランジスタ等であってもよい。
【００６５】
定電流回路２１は、スイッチング素子Ｑ１に流れる電流（以下、「第１電流」）の電流値が、定電流回路２２におけるスイッチング素子Ｑ２に流れる電流（以下、「第２電流」）の電流値以下となるように、構成されている。また、定電流回路２１は、スイッチング素子Ｑ２に第２電流が流れるとき、スイッチング素子Ｑ１に第１電流を流し続けるように構成されている。具体的に説明すると、抵抗Ｒ６の抵抗値は、第２電流の電流値が第１電流の電流値の１．２倍であるとき、抵抗Ｒ７の抵抗値の０．２倍以上に設定されている。これにより、定電流回路２１では、定電流回路２２が動作しているときであっても、スイッチング素子Ｑ１に第１電流を流し続けることが可能となる。よって、光源ユニット１００では、スイッチング素子Ｑ１に流れる第１電流がオーバーシュートもしくはアンダーシュートするのを抑制することが可能となる。その結果、光源ユニット１００では、例えば、外部機器へのノイズ（スイッチングノイズ）を抑制することが可能となる。
【００６６】
定電流回路２２は、スイッチング素子Ｑ２に流れる第２電流の電流値が、定電流回路２３におけるスイッチング素子Ｑ３に流れる電流（以下、「第３電流」）の電流値以下となるように、構成されている。また、定電流回路２２は、スイッチング素子Ｑ３に第３電流が流れるとき、スイッチング素子Ｑ２に第２電流を流し続けるように構成されている。具体的に説明すると、抵抗Ｒ１１の抵抗値は、第３電流の電流値が第２電流の電流値の１．２倍であるとき、抵抗Ｒ１２の抵抗値の０．２倍以上に設定されている。これにより、定電流回路２２では、定電流回路２３が動作しているときであっても、スイッチング素子Ｑ２に第２電流を流し続けることが可能となる。よって、光源ユニット１００では、スイッチング素子Ｑ２に流れる第２電流がオーバーシュートもしくはアンダーシュートするのを抑制することが可能となる。その結果、光源ユニット１００では、例えば、外部機器へのノイズ（スイッチングノイズ）を抑制することが可能となる。
【００６７】
光源ユニット１００は、全波整流回路２により全波整流された電圧（脈流電圧）によって、３個の光源群１１〜１３を点灯させるように構成されている。光源ユニット１００は、全波整流回路２により全波整流された電圧の瞬時値に基づいて、３個のスイッチング素子Ｑ１〜Ｑ３を順番にオフ状態からオン状態にすることで、３個の光源群１１〜１３を段階的に点灯させる。なお、３個の光源群１１〜１３を段階的に点灯させるとは、光源群１１を点灯させた後に、光源群１１の点灯状態を維持しながら光源群１２を点灯させ、最後に２個の光源群１１，１２の点灯状態を維持しながら光源群１３を点灯させることを意味する。
【００６８】
また、光源ユニット１００は、全波整流回路２により全波整流された電圧の瞬時値に基づいて、３個のスイッチング素子Ｑ１〜Ｑ３を順番にオン状態からオフ状態にすることで、３個の光源群１１〜１３を段階的に消灯させる。なお、３個の光源群１１〜１３を段階的に消灯させるとは、点灯状態の３個の光源群１１〜１３のうち光源群１３を消灯させた後に、光源群１２を消灯させ、最後に光源群１１を消灯させることを意味する。
【００６９】
基板７は、例えば、金属に比べて熱抵抗が大きい樹脂（例えば、紙フェノール、ガラスエポキシ、ガラスコンポジット等）により構成されている。基板７の厚みは、例えば、２ｍｍに設定されている。なお、基板７の厚みは、２ｍｍに設定されているが、これに限らず、例えば、２ｍｍ未満に設定されていてもよい。また、基板７は、金属に比べて熱抵抗が大きい樹脂により構成されているが、これに限らず、例えば、金属により構成されていてもよい。この場合、基板７は、例えば、絶縁シートを介して、取付部材１０１に取り付けられる。
【００７０】
基板７の表面（図２では、上面）には、複数個（図２では、１６個）の導電部Ｐ０〜Ｐ１５が設けられている。１６個の導電部Ｐ０〜Ｐ１５の各々は、例えば、銅箔により構成されている。１６個の導電部Ｐ０〜Ｐ１５それぞれの表面積は、同じ大きさに設定されている。なお、１６個の導電部Ｐ０〜Ｐ１５それぞれの表面積は、同じ大きさに設定されているが、異なる大きさに設定されていてもよい。
【００７１】
また、基板７の表面には、１５個の固体発光素子Ａ１〜Ａ１５、１５個のコンデンサＣ１〜Ｃ１５、全波整流回路２、３個のスイッチング素子Ｑ１〜Ｑ３、コンデンサＣ２１、コネクタ４、ヒューズ５およびバリスタ６が配置されている。
【００７２】
導電部Ｐ０は、全波整流回路２の高電位側の出力端（ダイオードＤ１およびダイオードＤ２それぞれのカソード）と固体発光素子Ａ１のアノードとを電気的に接続するように構成されている。また、導電部Ｐ０は、コンデンサＣ１の高電位側の接続端と固体発光素子Ａ１のアノードとを電気的に接続するように構成されている。光源ユニット１００では、光源ユニット１００が取付部材１０１に取り付けられたときに、基板７における導電部Ｐ０と取付部材１０１との間に、浮遊容量Ｃｐ０（図３，４参照）が生じる。なお、図４中のＧＮＤは、取付部材１０１のグランドを表している。
【００７３】
導電部Ｐ１は、固体発光素子Ａ１のカソードと固体発光素子Ａ２のアノードとを電気的に接続するように構成されている。また、導電部Ｐ１は、コンデンサＣ１の低電位側の接続端と固体発光素子Ａ１のカソードとを電気的に接続するように構成されている。さらに、導電部Ｐ１は、コンデンサＣ２の高電位側の接続端と固体発光素子Ａ２のアノードとを電気的に接続するように構成されている。また、導電部Ｐ１は、固体発光素子Ａ１で発生する熱を放熱するように構成されている。光源ユニット１００では、光源ユニット１００が取付部材１０１に取り付けられたときに、基板７における導電部Ｐ１と取付部材１０１との間に、浮遊容量Ｃｐ１が生じる（図３，４参照）。
【００７４】
光源ユニット１００では、固体発光素子Ａ１のアノードと導電部Ｐ０とが、接合部材２６（図３参照）により電気的に接続されている。また、光源ユニット１００では、固体発光素子Ａ１のカソードと導電部Ｐ１とが、接合部材２７により電気的に接続されている。接合部材２６および接合部材２７としては、例えば、半田等が挙げられる。なお、残り１４個の固体発光素子Ａ２〜Ａ１５の各々は、固体発光素子Ａ１と符号が異なる点を除いて、固体発光素子Ａ１と同じ構成である。ゆえに、残り１４個の固体発光素子Ａ２〜Ａ１５の各々に関する詳細な説明は省略する。
【００７５】
導電部Ｐ２は、固体発光素子Ａ２のカソードと固体発光素子Ａ３のアノードとを電気的に接続するように構成されている。また、導電部Ｐ２は、コンデンサＣ２の低電位側の接続端と固体発光素子Ａ２のカソードとを電気的に接続するように構成されている。さらに、導電部Ｐ２は、コンデンサＣ３の高電位側の接続端と固体発光素子Ａ３のアノードとを電気的に接続するように構成されている。また、導電部Ｐ２は、固体発光素子Ａ２で発生する熱を放熱するように構成されている。光源ユニット１００では、光源ユニット１００が取付部材１０１に取り付けられたときに、基板７における導電部Ｐ２と取付部材１０１との間に、浮遊容量Ｃｐ２が生じる（図４参照）。
【００７６】
１２個の導電部Ｐ３〜Ｐ１４の各々は、図４に示すように、導電部Ｐ２と符号が異なる点を除いて、導電部Ｐ２と同じ構成である。ゆえに、１２個の導電部Ｐ３〜Ｐ１４の各々に関する詳細な説明は省略する。
【００７７】
導電部Ｐ１５は、固体発光素子Ａ１５のカソードと定電流回路２３の入力端（スイッチング素子Ｑ３の第１端子と抵抗Ｒ１３の第１端との接続点）とを電気的に接続するように構成されている。また、導電部Ｐ１５は、コンデンサＣ１５の低電位側の接続端と固体発光素子Ａ１５のカソードとを電気的に接続するように構成されている。さらに、導電部Ｐ１５は、固体発光素子Ａ１５で発生する熱を放熱するように構成されている。光源ユニット１００では、光源ユニット１００が取付部材１０１に取り付けられたときに、基板７における導電部Ｐ１５と取付部材１０１との間に、浮遊容量Ｃｐ１５が生じる（図４参照）。
【００７８】
１６個の浮遊容量Ｃｐ０〜Ｃｐ１５それぞれのキャパシタンスＣＰｘ（ｘ＝０〜１５）は、真空の誘電率をＥ０、基板７の比誘電率をＥｒ、導電部Ｐｘ（ｘ＝０〜１５）の表面積をＳ、基板７の厚みをｄとすると、次式により求められる。
ＣＰｘ＝Ｅ０×Ｅｒ×（Ｓ／ｄ）
光源ユニット１００では、１６個の浮遊容量Ｃｐ０〜Ｃｐ１５それぞれのキャパシタンスＣＰ０〜ＣＰ１５が、例えば、３０．３ｐＦとなるように、導電部Ｐ０〜Ｐ１５それぞれの表面積を設定してある。１６個の浮遊容量Ｃｐ０〜Ｃｐ１５における合計のキャパシタンスは、例えば、４８４．８ｐＦである。
【００７９】
コンデンサＣ１のキャパシタンスは、対応する固体発光素子Ａ１の順電圧をＶｆ、サージ電圧をＶｓとすると、対応する固体発光素子Ａ１のアノード側の導電部Ｐ０で生じる浮遊容量Ｃｐ０のキャパシタンスの（Ｖｓ／Ｖｆ）倍に設定されている。残りのコンデンサＣ２〜Ｃ１５それぞれのキャパシタンスは、コンデンサＣ１と同様に、対応する固体発光素子Ａ２〜Ａ１５それぞれのアノード側の導電部Ｐ１〜Ｐ１４で生じる浮遊容量Ｃｐ１〜Ｃｐ１４のキャパシタンスの（Ｖｓ／Ｖｆ）倍に設定されている。
【００８０】
定電流回路２１には、コンデンサＣ２１が並列に接続されている。コンデンサＣ２１は、光源ユニット１００に流れるサージ電流をバイパスするように構成されている。言い換えれば、コンデンサＣ２１は、定電流回路２１（詳細には、スイッチング素子Ｑ１）にサージ電流が流れるのを抑制するように構成されている。コンデンサＣ２１は、例えば、セラミックコンデンサである。なお、コンデンサＣ２１は、セラミックコンデンサに限らず、例えば、電解コンデンサであってもよい。
【００８１】
光源ユニット１００では、スイッチング素子Ｑ１の第１端子と抵抗Ｒ６の第２端との間に、コンデンサＣ２１が電気的に接続されている。これにより、光源ユニット１００では、例えば、光源ユニット１００が取付部材１０１に取り付けられ、かつ、取付部材１０１のグランドと外部電源４０との間にサージ電圧が印加されたとき、例えば、図４中の矢印で示す経路で、サージ電流が流れる。よって、光源ユニット１００では、３個のスイッチング素子Ｑ１〜Ｑ３に過電流が流れるのを抑制することが可能となり、３個のスイッチング素子Ｑ１〜Ｑ３が絶縁破壊（サージ破壊）するのを抑制することが可能となる。すなわち、光源ユニット１００では、サージ電圧による故障を抑制することが可能となる。なお、図４中の実線の矢印は、光源ユニット１００に流れるサージ電流を表している。また、図４中の破線の矢印は、取付部材１０１と光源ユニット１００との間に流れるサージ電流を表している。
【００８２】
また、光源ユニット１００では、１５個の固体発光素子Ａ１〜Ａ１５に、対応するコンデンサＣ１〜Ｃ１５が並列に接続されている。これにより、光源ユニット１００では、例えば、光源ユニット１００が取付部材１０１に取り付けられ、かつ、取付部材１０１のグランドと外部電源４０との間にサージ電圧が印加されたとき、１５個の固体発光素子Ａ１〜Ａ１５に過電流が流れるのを抑制可能となる。よって、光源ユニット１００では、１５個の固体発光素子Ａ１〜Ａ１５が絶縁破壊するのを抑制することが可能となる。
【００８３】
なお、光源ユニット１００では、スイッチング素子Ｑ１の第１端子と抵抗Ｒ６の第２端との間に、コンデンサＣ２１が電気的に接続されているが、この構成に限らない。光源ユニット１００では、例えば、スイッチング素子Ｑ１の第１端子と第２端子との間に、コンデンサＣ２１が電気的に接続されていてもよい。また、光源ユニット１００では、例えば、スイッチング素子Ｑ１の第１端子と全波整流回路２の低電位側の出力端（ダイオードＤ３およびダイオードＤ４それぞれのアノード）との間に、コンデンサＣ２１が電気的に接続されていてもよい。
【００８４】
また、光源ユニット１００では、定電流回路２１に、コンデンサＣ２１が並列に接続されているが、この構成に限らない。光源ユニット１００では、例えば、定電流回路２１にコンデンサＣ２１が並列に接続され、かつ、定電流回路２２に、コンデンサＣ２１と同様のコンデンサが並列に接続されていてもよい。また、光源ユニット１００では、例えば、定電流回路２１にコンデンサＣ２１が並列に接続され、かつ、定電流回路２２および定電流回路２３の各々に、コンデンサＣ２１と同様のコンデンサが並列に接続されていてもよい。すなわち、光源ユニット１００では、定電流回路２１と定電流回路２２と定電流回路２３との少なくとも１個に、コンデンサＣ２１が並列に接続されていればよい。
【００８５】
コンデンサＣ２１のキャパシタンスは、全波整流回路２の一対の出力端間に全波整流回路２の定格電圧よりも大きな電圧が印加されないように、設定されていることが好ましい。言い換えれば、コンデンサＣ２１のキャパシタンスは、１６個の浮遊容量Ｃｐ０〜Ｃｐ１５における合計のキャパシタンスの２倍以上であることが好ましい。具体的に説明すると、コンデンサＣ２１のキャパシタンスは、例えば、１ｎＦであることが好ましい。これにより、光源ユニット１００では、例えば、２ｋＶのサージ電圧に耐えることが可能となる。また、光源ユニット１００では、全波整流回路２の一対の出力端間に過電圧が印加されるのを抑制することが可能となり、全波整流回路２が絶縁破壊するのを抑制することが可能となる。また、光源ユニット１００では、３個のスイッチング素子Ｑ１〜Ｑ３に過電流が流れるのを抑制することが可能となり、３個のスイッチング素子Ｑ１〜Ｑ３が絶縁破壊するのを抑制することが可能となる。つまり、光源ユニット１００では、サージ電圧による故障を抑制することが可能となる。
【００８６】
また、コンデンサＣ２１のキャパシタンスは、１６個の浮遊容量Ｃｐ０〜Ｃｐ１５における合計のキャパシタンスの１０倍以上であることが、より好ましい。具体的に説明すると、コンデンサＣ２１のキャパシタンスは、例えば、５ｎＦであることが、より好ましい。これにより、光源ユニット１００では、例えば、４ｋＶのサージ電圧に耐えることが可能となる。また、光源ユニット１００では、全波整流回路２の一対の出力端間に過電圧が印加されるのを、より抑制することが可能となり、全波整流回路２が絶縁破壊するのを、より抑制することが可能となる。また、光源ユニット１００では、３個のスイッチング素子Ｑ１〜Ｑ３に過電流が流れるのを、より抑制することが可能となり、３個のスイッチング素子Ｑ１〜Ｑ３が絶縁破壊するのを、より抑制することが可能となる。つまり、光源ユニット１００では、サージ電圧による故障を、より抑制することが可能となる。
【００８７】
また、コンデンサＣ２１のキャパシタンスは、１６個の浮遊容量Ｃｐ０〜Ｃｐ１５における合計のキャパシタンスの２０倍以上であることが、より一層好ましい。具体的に説明すると、コンデンサＣ２１のキャパシタンスは、例えば、１０ｎＦであることが、より一層好ましい。これにより、光源ユニット１００では、例えば、１５ｋＶのサージ電圧に耐えることが可能となる。また、光源ユニット１００では、全波整流回路２の一対の出力端間に過電圧が印加されるのを、より一層抑制することが可能となり、全波整流回路２が絶縁破壊するのを、より一層抑制することが可能となる。また、光源ユニット１００では、３個のスイッチング素子Ｑ１〜Ｑ３に過電流が流れるのを、より一層抑制することが可能となり、３個のスイッチング素子Ｑ１〜Ｑ３が絶縁破壊するのを、より一層抑制することが可能となる。つまり、光源ユニット１００では、サージ電圧による故障を、より一層抑制することが可能となる。
【００８８】
光源ユニット１００は、３個の光源群１１〜１３を備えているが、これに限らず、例えば、４個以上の光源群を備えていてもよい。この場合、光源ユニット１００は、４個以上の定電流回路を備える。すなわち、光源ユニット１００は、少なくとも３個の光源群１１〜１３と、全波整流回路２と、少なくとも３個の定電流回路２１〜２３とを備える。
【００８９】
以上説明した光源ユニット１００は、少なくとも３個の光源群１１〜１３と、交流電圧を全波整流する全波整流回路２と、少なくとも３個の定電流回路２１〜２３とを備えている。光源群１１は、直列接続された複数個（９個）の固体発光素子Ａ１〜Ａ９を備えている。光源群１２は、直列接続された複数個（４個）の固体発光素子Ａ１０〜Ａ１３を備えている。光源群１３は、直列接続された複数個（２個）の固体発光素子Ａ１４，Ａ１５を備えている。各固体発光素子Ａ１〜Ａ１５には、第１コンデンサ（コンデンサＣ１〜Ｃ１５）が並列に接続されている。定電流回路２１は、光源群１１に流れる電流を定電流化するように構成されている。定電流回路２２は、光源群１２に流れる電流を定電流化するように構成されている。定電流回路２３は、光源群１３に流れる電流を定電流化するように構成されている。全波整流回路２の一対の出力端間には、第１光源群（光源群１１）と、第１定電流回路（定電流回路２１）との直列回路が電気的に接続されている。第１定電流回路には、第２光源群（光源群１２）と、第２定電流回路（定電流回路２２）との直列回路が電気的に接続されている。第２定電流回路には、第３光源群（光源群１３）と、第３定電流回路（定電流回路２３）との直列回路が電気的に接続されている。第１定電流回路と第２定電流回路と第３定電流回路との少なくとも１個には、第２コンデンサ（コンデンサＣ２１）が並列に接続されている。これにより、光源ユニット１００では、例えば、光源ユニット１００が取付部材１０１に取り付けられ、かつ、取付部材１０１のグランドと外部電源４０との間にサージ電圧が印加されたとき、３個のスイッチング素子Ｑ１〜Ｑ３に過電流が流れるのを抑制可能となる。よって、光源ユニット１００では、３個のスイッチング素子Ｑ１〜Ｑ３が絶縁破壊するのを抑制することが可能となる。すなわち、光源ユニット１００では、サージ電圧による故障を抑制することが可能となる。
【００９０】
第１定電流回路（定電流回路２１）には、上述のように、第２コンデンサ（コンデンサＣ２１）が並列に接続されていることが好ましい。これにより、光源ユニット１００では、第２定電流回路（定電流回路２２）もしくは第３定電流回路（定電流回路２３）に第２コンデンサが並列に接続された場合に比べて、スイッチング素子Ｑ１に過電流が流れるのを抑制することが可能となる。よって、光源ユニット１００では、第２定電流回路もしくは第３定電流回路に第２コンデンサが並列に接続された場合に比べて、スイッチング素子Ｑ１が絶縁破壊するのを抑制することが可能となる。すなわち、光源ユニット１００では、サージ電圧による故障を抑制することが可能となる。
【００９１】
第２コンデンサ（コンデンサＣ２１）のキャパシタンスは、全波整流回路２の一対の出力端間に全波整流回路２の定格電圧よりも大きな電圧が印加されないように、設定されていることが好ましい。これにより、光源ユニット１００では、全波整流回路２の一対の出力端間に過電圧が印加されるのを抑制することが可能となり、全波整流回路２が絶縁破壊するのを抑制することが可能となる。
【００９２】
以上説明した照明器具２００は、光源ユニット１００と、光源ユニット１００が取り付けられる取付部材１０１とを備えている。これにより、照明器具２００では、サージ電圧による故障を抑制可能な光源ユニット１００を備えた照明器具２００を提供することができる。
【００９３】
（実施形態２）
実施形態２の光源ユニット１１０の基本構成は、実施形態１の光源ユニット１００と同じであり、図６に示すように、全波整流回路２の一対の出力端間にコンデンサＣ２２が電気的に接続されている点等が、光源ユニット１００と相違する。なお、光源ユニット１１０では、光源ユニット１００と同様の構成要素に同一の符号を付して説明を適宜省略する。
【００９４】
コンデンサＣ２２は、光源ユニット１１０に流れるサージ電流をバイパスするように構成されている。言い換えれば、コンデンサＣ２２は、全波整流回路２にサージ電流が流れるのを抑制するように構成されている。コンデンサＣ２２は、例えば、セラミックコンデンサである。なお、コンデンサＣ２２は、セラミックコンデンサに限らず、例えば、電解コンデンサ等であってもよい。
【００９５】
光源ユニット１１０では、スイッチング素子Ｑ１の第１端子と第２端子との間に、コンデンサＣ２１が電気的に接続されている。
【００９６】
また、光源ユニット１１０では、定電流回路２２に、コンデンサＣ２３が並列に接続されている。一例を挙げて説明すると、光源ユニット１１０では、スイッチング素子Ｑ２の第１端子と第２端子との間に、コンデンサＣ２３が電気的に接続されている。なお、光源ユニット１１０では、スイッチング素子Ｑ２の第１端子と第２端子との間にコンデンサＣ２３が電気的に接続されているが、この構成に限らない。光源ユニット１１０では、例えば、スイッチング素子Ｑ２の第１端子と抵抗Ｒ１１の第２端との間に、コンデンサＣ２３が電気的に接続されていてもよい。
【００９７】
コンデンサＣ２３は、光源ユニット１１０に流れるサージ電流をバイパスするように構成されている。言い換えれば、コンデンサＣ２３は、定電流回路２２（詳細には、スイッチング素子Ｑ２）にサージ電流が流れるのを抑制するように構成されている。コンデンサＣ２３は、例えば、セラミックコンデンサである。なお、コンデンサＣ２３は、セラミックコンデンサに限らず、例えば、電解コンデンサ等であってもよい。
【００９８】
また、光源ユニット１１０では、定電流回路２３に、コンデンサＣ２４が並列に接続されている。一例を挙げて説明すると、光源ユニット１１０では、スイッチング素子Ｑ３の第１端子と第２端子との間に、コンデンサＣ２４が電気的に接続されている。なお、光源ユニット１１０では、スイッチング素子Ｑ３の第１端子と第２端子との間にコンデンサＣ２４が電気的に接続されているが、この構成に限らない。光源ユニット１１０では、例えば、スイッチング素子Ｑ３の第１端子と抵抗Ｒ１６の第１端との間に、コンデンサＣ２４が電気的に接続されていてもよい。
【００９９】
コンデンサＣ２４は、光源ユニット１１０に流れるサージ電流をバイパスするように構成されている。言い換えれば、コンデンサＣ２４は、定電流回路２３（詳細には、スイッチング素子Ｑ３）にサージ電流が流れるのを抑制するように構成されている。コンデンサＣ２４は、例えば、セラミックコンデンサである。なお、コンデンサＣ２４は、セラミックコンデンサに限らず、例えば、電解コンデンサ等であってもよい。
【０１００】
基板７の表面（図７では、上面）には、複数個（図７では、４個）の導電部Ｐ１６〜Ｐ１９が、更に設けられている。４個の導電部Ｐ１６〜Ｐ１９の各々は、例えば、銅箔により形成されている。４個の導電部Ｐ１６〜Ｐ１９それぞれの表面積は、異なる大きさに設定されている。なお、４個の導電部Ｐ１６〜Ｐ１９それぞれの表面積は、異なる大きさに設定されているが、同じ大きさに設定されていてもよい。
【０１０１】
導電部Ｐ１６は、例えば、ダイオードＤ３のアノードとダイオードＤ４のアノードとコンデンサＣ２２の低電位側の接続端とを電気的に接続するように構成されている。光源ユニット１１０では、光源ユニット１１０が取付部材１０１に取り付けられたときに、基板７における導電部Ｐ１６と取付部材１０１との間に、浮遊容量Ｃｐ１６が生じる（図８参照）。なお、図８中のＧＮＤは、取付部材１０１のグランドを表している。
【０１０２】
導電部Ｐ１７は、例えば、抵抗Ｒ６の第２端と抵抗Ｒ７の第１端とを電気的に接続するように構成されている。光源ユニット１１０では、光源ユニット１１０が取付部材１０１に取り付けられたときに、基板７における導電部Ｐ１７と取付部材１０１との間に、浮遊容量Ｃｐ１７が生じる（図８参照）。
【０１０３】
導電部Ｐ１８は、導電部Ｐ１７と符号が異なる点を除いて、図８に示すように、導電部Ｐ１７と同じ構成である。ゆえに、導電部Ｐ１８に関する詳細な説明は省略する。光源ユニット１１０では、光源ユニット１１０が取付部材１０１に取り付けられたときに、基板７における導電部Ｐ１８と取付部材１０１との間に、浮遊容量Ｃｐ１８が生じる（図８参照）。
【０１０４】
導電部Ｐ１９は、例えば、抵抗Ｒ１５の第２端と抵抗Ｒ１６の第１端とを電気的に接続するように構成されている。光源ユニット１１０では、光源ユニット１１０が取付部材１０１に取り付けられたときに、基板７における導電部Ｐ１９と取付部材１０１との間に、浮遊容量Ｃｐ１９が生じる（図８参照）。
【０１０５】
４個の浮遊容量Ｃｐ１６〜Ｃｐ１９それぞれのキャパシタンスＣＰｘ（ｘ＝１６〜１９）は、真空の誘電率をＥ０、基板７の比誘電率をＥｒ、導電部Ｐｘ（ｘ＝１６〜１９）の表面積をＳ、基板７の厚みをｄとすると、次式により求められる。
ＣＰｘ＝Ｅ０×Ｅｒ×（Ｓ／ｄ）
光源ユニット１１０では、浮遊容量Ｃｐ１６のキャパシタンスＣＰ１６が、例えば、１６０ｐＦとなるように、導電部Ｐ１６の表面積を設定してある。また、光源ユニット１１０では、浮遊容量Ｃｐ１７のキャパシタンスＣＰ１７が、例えば、３６ｐＦとなるように、導電部Ｐ１７の表面積を設定してある。さらに、光源ユニット１１０では、浮遊容量Ｃｐ１８のキャパシタンスＣＰ１８が、例えば、７０ｐＦとなるように、導電部Ｐ１８の表面積を設定してある。また、光源ユニット１１０では、浮遊容量Ｃｐ１９のキャパシタンスＣＰ１９が、例えば、６０ｐＦとなるように、導電部Ｐ１９の表面積を設定してある。４個の浮遊容量Ｃｐ１６〜Ｃｐ１９における合計のキャパシタンスは、例えば、３２６ｐＦである。
【０１０６】
光源ユニット１１０では、４個の浮遊容量Ｃｐ１６〜Ｃｐ１９における合計のキャパシタンスを、１６個の浮遊容量Ｃｐ０〜Ｃｐ１５における合計のキャパシタンスに近い値に設定してある。なお、以下では、説明の便宜上、１６個の浮遊容量Ｃｐ０〜Ｃｐ１５における合計のキャパシタンスを「第１キャパシタンス」と称し、４個の浮遊容量Ｃｐ１６〜Ｃｐ１９における合計のキャパシタンスを「第２キャパシタンス」と称することもある。
【０１０７】
４個の導電部Ｐ１６〜Ｐ１９における合計の表面積は、例えば、第２キャパシタンスをＡ２、第１キャパシタンスをＡ１とすると、｜Ａ２−Ａ１｜≦２００ｐＦの関係式を満足するように設定されている。
【０１０８】
したがって、光源ユニット１１０では、光源ユニット１１０が取付部材１０１に取り付けられ、かつ、取付部材１０１のグランドと外部電源４０との間にサージ電圧が印加されたとき、例えば、図８中の矢印で示す経路で、サージ電流が流れる。よって、光源ユニット１１０では、３個のスイッチング素子Ｑ１〜Ｑ３に過電流が流れるのを抑制することが可能となり、３個のスイッチング素子Ｑ１〜Ｑ３が絶縁破壊（サージ破壊）するのを抑制することが可能となる。すなわち、光源ユニット１１０では、サージ電圧による故障を抑制することが可能となる。なお、図８中の実線の矢印は、光源ユニット１００に流れるサージ電流を表している。また、図８中の破線の矢印は、取付部材１０１と光源ユニット１１０との間に流れるサージ電流を表している。
【０１０９】
また、光源ユニット１１０では、全波整流回路２の一対の出力端間にコンデンサＣ２２が電気的に接続されている。これにより、光源ユニット１１０では、光源ユニット１１０が取付部材１０１に取り付けられ、かつ、取付部材１０１のグランドと外部電源４０との間にサージ電圧が印加されたときに、サージ電流が全波整流回路２に流れるのを抑制することが可能となる。よって、光源ユニット１１０では、全波整流回路２に過電流（アバランシェ電流）が流れるのを抑制することが可能となり、サージ電流により全波整流回路２が故障するのを抑制することが可能となる。また、光源ユニット１１０では、全波整流回路２に過電流が流れるのを抑制することが可能になるので、全波整流回路２の耐圧を比較的低く設定することが可能となり、全波整流回路２の小型化および低コスト化を図ることが可能となる。
【０１１０】
なお、光源ユニット１１０では、４個の浮遊容量Ｃｐ１６〜Ｃｐ１９における合計のキャパシタンスを、１６個の浮遊容量Ｃｐ０〜Ｃｐ１５における合計のキャパシタンスに近い値に設定してあるが、これに限らない。光源ユニット１１０では、４個の浮遊容量Ｃｐ１６〜Ｃｐ１９における合計のキャパシタンスが、１６個の浮遊容量Ｃｐ０〜Ｃｐ１５における合計のキャパシタンスと同じ値に設定されていることが望ましい。
【０１１１】
光源ユニット１１０では、コンデンサＣ２１のキャパシタンスが、全波整流回路２の一対の出力端間に全波整流回路２の定格電圧よりも大きな電圧が印加されないように設定されているが、これに限らない。光源ユニット１１０では、４個のコンデンサＣ２１〜Ｃ２４の合計のキャパシタンスが、全波整流回路２の一対の出力端間に全波整流回路２の定格電圧よりも大きな電圧が印加されないように設定されていてもよい。言い換えれば、４個のコンデンサＣ２１〜Ｃ２４の合計のキャパシタンスは、全波整流回路２の一対の出力端間の浮遊容量のキャパシタンス（２０個の浮遊容量Ｃｐ０〜Ｃｐ１９における合計のキャパシタンス）の２倍以上であってもよい。これにより、光源ユニット１１０では、光源ユニット１００に比べて、コンデンサＣ２１のキャパシタンスを小さく設定することが可能となる。
【０１１２】
なお、光源ユニット１１０は、例えば、実施形態１の照明器具２００に適用してもよい。
【符号の説明】
【０１１３】
２  全波整流回路
１１  光源群（第１光源群）
１２  光源群（第２光源群）
１３  光源群（第３光源群）
２１  定電流回路（第１定電流回路）
２２  定電流回路（第２定電流回路）
２３  定電流回路（第３定電流回路）
１００  光源ユニット
１０１  取付部材
１０２  ケース
１１０  光源ユニット
２００  照明器具
Ａ１〜Ａ１５  固体発光素子
Ｃ１〜Ｃ１５  コンデンサ（第１コンデンサ）
Ｃ２１  コンデンサ（第２コンデンサ）
【図１】
0006532006.tif 000002
【図２】
0006532006.tif 000003
【図３】
0006532006.tif 000004
【図４】
0006532006.tif 000005
【図５】
0006532006.tif 000006
【図６】
0006532006.tif 000007
【図７】
0006532006.tif 000008
【図８】
0006532006.tif 000009